(57)【要約】      （修正有）【課題】太陽電池モジュール、太陽電池モジュールの製造方法及び太陽電池モジュールを有する車輌を提供する。【解決手段】太陽電池モジュールは、所定の曲面形状を有する上封止層１０１と、太陽電池群１０２と、フィルム１０３と、少なくとも１つの下封止背面板１０４と、を備える。下封止背面板の数は曲面形状の曲率半径により確定され、太陽電池群は、上封止層と少なくとも１つの下封止背面板との間に、フィルムによって曲面形状を基に敷設され、且つ、太陽電池群の敷設面積は少なくとも１つの下封止背面板の敷設面積以下である。よって、本願が提供する技術案は、太陽電池モジュールを曲率半径の小さな曲面上に敷設することが実現できる。【選択図】図１
2019186511.tif 000002
【特許請求の範囲】
【請求項１】
太陽電池群と、フィルムと、所定の曲面形状を有する上封止層と、少なくとも１つの下封止背面板と、を含み、
前記下封止背面板の数は前記曲面形状の曲率半径により確定され、
前記太陽電池群は、前記上封止層と前記少なくとも１つの下封止背面板との間に、前記フィルムによって前記曲面形状を基に敷設され、且つ、前記少なくとも１つの下封止背面板の敷設面積は前記上封止層の表面積以下である
太陽電池モジュール。
【請求項２】
前記下封止背面板の数と前記曲面形状の曲率半径との関係は、
前記曲面形状の最小曲率半径が増大するに従って前記下封止背面板の数が減少することを満たす
請求項１に記載の太陽電池モジュール。
【請求項３】
前記下封止背面板の数と前記曲面形状の曲率半径との関係は、第１の連立方程式
【数１】
2019186511.tif 000011
を満たし、
前記Nは前記下封止背面板の数を表し、前記Rminは前記曲面形状における最小曲率半径を表し、単位をmmとする
請求項２に記載の太陽電池モジュール。
【請求項４】
前記下封止背面板の数と前記曲面形状の曲率半径との関係は、第２の連立方程式
【数２】
2019186511.tif 000012
を満たし、
前記Nは前記下封止背面板の数を表し、前記Rminは前記曲面形状における最小曲率半径を表し、単位をmmとする
請求項２に記載の太陽電池モジュール。
【請求項５】
前記下封止背面板の数は、前記曲面形状の最小曲率半径と最大曲率半径により確定される
請求項１に記載の太陽電池モジュール。
【請求項６】
前記下封止背面板の数と前記曲面形状の曲率半径との関係は、第３の方程式
【数３】
2019186511.tif 000013
を満たし、
前記Nは前記下封止背面板の数を表し、前記Rmaxは前記曲面形状における最大曲率半径を表し、前記Rminは前記曲面形状における最小曲率半径を表し、前記Kは既定数の定数を表し、前記
【数４】
2019186511.tif 000014
は切り上げ符号を表す
請求項５に記載の太陽電池モジュール。
【請求項７】
前記太陽電池モジュールは少なくとも２つの下封止背面板を含み、各前記下封止背面板はそれぞれ同一又は異なる面積を有し、
及び/又は
前記太陽電池モジュールは少なくとも２つの下封止板を含み、任意の隣接する２つの下封止背面板の間には５mm〜３０mmのスプライス重複領域を有する
請求項１〜６のいずれか一項に記載の太陽電池モジュール。
【請求項８】
前記各下封止背面板は異なる面積を有し、
前記上封止層の曲面形状における曲率半径が大きい領域は比較的に大きい面積を有する前記下封止背面板に応じ、前記上封止層の曲面形状における曲率半径が小さい領域は比較的に小さい面積を有する前記下封止背面板に応じる
請求項７に記載の太陽電池モジュール。
【請求項９】
前記太陽電池群は、バスゾーン、出力端及び複数の太陽電池を含み、
前記複数の太陽電池は、シリーズ方式、パラレル方式又はシリーズ・パラレルハイブリッド方式のうちのいずれか１つの方式で接続され電流出力群になり、
前記電流出力群は前記バスゾーンに接続され、自己生成した電流を前記バスゾーンに伝送するのに用いられ、
前記バスゾーンは、前記電流出力群から伝送された電流を前記出力端に伝送するのに用いられ、
前記出力端は外部の蓄電設備に接続され、前記バスゾーンから伝送された電流を前記蓄電設備に伝送するのに用いられる
請求項１に記載の太陽電池モジュール。
【請求項１０】
前記複数の太陽電池はシリーズ・パラレルハイブリッド方式で接続され前記電流出力群になり、
前記複数の太陽電池は少なくとも２つのセルストリングを形成し、各前記セルストリングはシリーズ状態にある少なくとも２つの太陽電池を含み、
各前記セルストリングにおいて首位に位置する太陽電池の正極は前記バスゾーンに接続され、且つ最下位に位置する太陽電池の負極は前記バスゾーンに接続され、前記少なくとも２つのセルストリングはパラレル方式で接続される
請求項９に記載の太陽電池モジュール。
【請求項１１】
任意の２つの隣接する太陽電池の間は所定の距離を有し、前記距離を０〜５mmとする
請求項９に記載の太陽電池モジュール。
【請求項１２】
前記太陽電池は、CIGS薄膜太陽電池、ペロブスカイト薄膜太陽電池、有機半導体薄膜太陽電池、ガリウム砒素GaAs化合物半導体膜太陽電池のうちのいずれか１つ又は複数を含む
請求項９に記載の太陽電池モジュール。
【請求項１３】
前記上封止層上に貼付けられ、且つ前記上封止層と舗装領域を形成するためのシーリングテープをさらに含み、
前記太陽電池群及び前記少なくとも１つの下封止背面板は前記舗装領域内に敷設される
請求項１〜６及び８〜１２のいずれか一項に記載の太陽電池モジュール。
【請求項１４】
前記シーリングテープは、変性PVCシーリングテープ、ネオプレンシーリングテープ、熱可塑性EPDMゴムシーリングテープ、加硫EPDMゴムシーリングテープのうちのいずれか１つ又は複数を含む
請求項１３に記載の太陽電池モジュール。
【請求項１５】
前記上封止層は、通常のガラス上封止層、強化ガラス上封止層、プラスチックフォルダガラス上封止層、 ポリスチレン上封止層、ポリメチルメタクリレート上封止層、ポリカーボネート上封止層、ポリエチレンテレフタレート上封止層、エチレン-テトラフルオロエチレン共重合体上封止層のうちのいずれか１つ又は複数を含み、
及び/又は
前記下封止背面板は、無機ガラスの下封止背面板、ステンレス鋼の下封止背面板、エチレン/ビニルアルコール共重合体の下封止背面板、ポリエチレンテレフタレートの下封止背面板、ポリエチレンテレフタレートとアルミニウムの複合材料の下封止背面板のうちのいずれか１つ又は複数を含み、
及び/又は
前記フィルムは、ポリオレフィンフィルム、ポリビニルブチラールフィルム、エチレン-酢酸ビニル共重合体フィルム、シリコーンフィルムのうちのいずれか１つ又は複数を含む
請求項１〜６及び８〜１２のいずれか一項に記載の太陽電池モジュール。
【請求項１６】
前記上封止層の厚さを０．５mm〜８mmとし、
及び/又は
前記下封止背面板の厚さを０．２mm〜５mmとし、
及び/又は
前記フィルムの厚さを０．１mm〜１．５mmとする
請求項１〜６及び８〜１２のいずれか一項に記載の太陽電池モジュール。
【請求項１７】
前記太陽電池モジュールは車輌に応用され、
前記上封止層の曲面形状が前記車輌の被覆カバーの曲面形状に一致する
請求項１〜６及び８〜１２のいずれか一項に記載の太陽電池モジュール。
【請求項１８】
太陽電池群、フィルム及び所定の曲面形状を有する上封止層を製造するステップと、
前記曲面形状の曲率半径によって数が確定される少なくとも１つの下封止背面板を製造するステップと、
前記太陽電池群を、前記少なくとも１つの下封止背面板の敷設面積が前記上封止層の表面積以下であり、前記上封止層と前記少なくとも１つの下封止背面板との間に、前記フィルムによって前記曲面形状を基に敷設するステップと、を含む
請求項１〜１７のいずれか一項に記載の太陽電池モジュールの製造方法。
【請求項１９】
前記曲面形状の曲率半径によって数が確定される少なくとも１つの下封止背面板を製造する前記ステップは、
前記曲面形状の最小曲率半径を確定するステップと、
前記最小曲率半径によって前記下封止背面板の数を確定し、前記下封止背面板の数は前記曲面形状の最小曲率半径が増大するに従って減少するステップと、
確定された前記下封止背面板の数によって、各前記下封止背面板を製造するステップと、を含む
請求項１８に記載の方法。
【請求項２０】
前記最小曲率半径によって前記下封止背面板の数を確定する前記ステップは、
前記曲面形状の曲率半径によって、第１の連立方程式を用いて前記下封止背面板の数を算出するステップを含み、
前記第１の連立方程式は、
【数５】
2019186511.tif 000015
を含み、
前記Nは前記下封止背面板の数を表し、前記Rminは前記曲面形状における最小曲率半径を表し、単位をmmとする
請求項１９に記載の方法。
【請求項２１】
前記最小曲率半径によって前記下封止背面板の数を確定する前記ステップは、
前記曲面形状の曲率半径によって、第２の連立方程式を用いて前記下封止背面板の数を算出するステップを含み、
前記第２の連立方程式は、
【数６】
2019186511.tif 000016
を含み、
前記Nは前記下封止背面板の数を表し、前記Rminは前記曲面形状における最小曲率半径を表し、単位をmmとする
請求項１９に記載の方法。
【請求項２２】
前記曲面形状の曲率半径によって数が確定される少なくとも１つの下封止背面板を製造する前記ステップは、
前記曲面形状の最小曲率半径と最大曲率半径によって前記下封止背面板の数を確定するステップと、
確定された前記下封止背面板の数によって各前記下封止背面板を製造するステップと、を含む
請求項１８に記載の方法。
【請求項２３】
前記曲面形状における最小の曲率半径と最大の曲率半径によって前記下封止背面板の数を確定する前記ステップは、
前記曲面形状の曲率半径を基に、第３の方程式を用いて前記下封止背面板の数を算出するステップを含み、
前記第３の方程式は
【数７】
2019186511.tif 000017
を含み、
前記Nは前記下封止背面板の数を表し、前記Rmaxは前記曲面形状における最大の曲率半径を表し、前記Rminは前記曲面形状における最小曲率半径を表し、前記Kは既定数の定数を表し、前記
【数８】
2019186511.tif 000018
は切り上げ符号を表す
請求項２２に記載の方法。
【請求項２４】
前記太陽電池モジュールに少なくとも２つの下封止背面板が含まれるとき、製造される前記下封止背面板はそれぞれ同一又は異なる面積を有する
請求項１８〜２３のいずれか一項に記載の方法。
【請求項２５】
前記下封止背面板が異なる面積を有するとき、上封止層の曲面形状の曲率が大きい領域は比較的に大きい面積を有する下封止背面板に応じ、上封止層の曲面形状の曲率が小さい領域は比較的に小さい面積を有する下封止背面板に応じる
請求項２４に記載の方法。
【請求項２６】
前記太陽電池群を、前記上封止層と前記少なくとも１つの下封止背面板との間に、前記フィルムによって前記曲面形状を基に敷設する前記ステップの後に、
前記太陽電池群、前記上封止層及び前記少なくとも１つの下封止背面板に対して真空引き処理を行い、制作待ちモジュール群を形成するステップと、
前記制作待ちモジュール群に対してラミネート処理を行い、太陽電池モジュールを形成するステップと、をさらに含む
請求項１８〜２３、２５のいずれか一項に記載の方法。
【請求項２７】
前記太陽電池群、前記上封止層及び前記少なくとも１つの下封止背面板に対して真空引き処理を行う前記ステップは、
前記太陽電池群、前記上封止層及び前記少なくとも１つの下封止背面板を真空バッグに配置するステップと、
真空度は相対真空度であり、真空バッグ内の真空度が-８０KPa〜-１００KPaになるように、真空引き装置を用いて前記真空バッグに対し、０．５時間〜１時間の真空引き操作を行うステップと、を含む
請求項２６に記載の方法。
【請求項２８】
前記制作待ちモジュール群に対してラミネート処理を行い、太陽電池モジュールを形成する前記ステップは、
ラミネーターを用いて、温度を１３０℃〜１６０℃とし、真空度を-８０KPa〜-１００KPaとする操作条件で真空引き処理後の制作待ちモジュール群に対して１時間〜３時間のラミネートを行い、前記真空度は相対真空度であるステップを含む
請求項２６に記載の方法。
【請求項２９】
請求項１〜１７のいずれか一項に記載の太陽電池モジュールを含み、
被覆カバーの外表面上に前記太陽電池モジュールが覆われている
車輌。
【発明の詳細な説明】
【技術分野】
【０００１】
本願は太陽光発電応用技術分野に関し、特に、太陽電池モジュール、該太陽電池モジュールの製造方法及び該太陽電池モジュールを有する車輌に関する。
【背景技術】
【０００２】
太陽電池モジュールはガソリン、軽油等のエネルギーを消費する必要がなく、太陽光を利用して車輌に電力を供給することができるため、自動車等の車輌に広く使用されている。
現在、太陽電池モジュールにシワや波状パターンが出現する可能性を減らすために、太陽電池モジュールは通常比較的に大きい曲率半径範囲を有する。太陽電池モジュールを設備（例えば、車輌のルーフ）上に敷設する際、太陽電池モジュールは設備の曲率半径が比較的に大きい表面（例えば、曲率半径を１２００mm〜６０００mmとする表面）に敷設することしかできない。よって、既存の太陽電池群は敷設が制限されており、曲率半径の比較的に大きな曲面にのみ敷設することができる。
【発明の概要】
【発明が解決しようとする課題】
【０００３】
これを踏まえて、本願では、太陽電池モジュール、該太陽電池モジュールの製造方法及び太陽電池モジュールを有する車輌を提供する。本願の太陽電池モジュールは、曲率半径の小さな曲面上に敷設することができる。
【課題を解決するための手段】
【０００４】
第一の方面において、本願の実施形態では、太陽電池群と、フィルムと、所定の曲面形状を有する上封止層と、少なくとも１つの下封止背面板と、を含み、前記下封止背面板の数は前記曲面形状の曲率半径により確定され、前記太陽電池群は、前記上封止層と前記少なくとも１つの下封止背面板との間に、前記フィルムによって前記曲面形状を基に敷設され、且つ、前記少なくとも１つの下封止背面板の敷設面積は前記上封止層の表面積以下である太陽電池モジュールを提供する。
第二の方面において、本願の実施形態では、太陽電池群、フィルム及び所定の曲面形状を有する上封止層を製造するステップと、前記曲面形状の曲率半径によって数が確定される少なくとも１つの下封止背面板を製造するステップと、前記太陽電池群を、前記少なくとも１つの下封止背面板の敷設面積が前記上封止層の表面積以下であり、前記上封止層と前記少なくとも１つの下封止背面板との間に、前記フィルムによって前記曲面形状を基に敷設するステップと、を含む太陽電池モジュールの製造方法を提供する。
第三の方面において、本願の実施形態では、上記太陽電池モジュールを含み、被覆カバーの外表面上に前記太陽電池モジュールが覆われる車輌を提供する。
【発明の効果】
【０００５】
上記の説明は本願の技術案の概要に過ぎず、本願の技術案をより明確に理解するために明細書の内容に従って実施することができる。また、本願の上記並びに他の目的、特徴及び利点がより明確になり理解し易いように、以下、本願の具体的な実施形態について説明する。
【図面の簡単な説明】
【０００６】
本願の実施形態又は従来技術における技術案をより明確に説明するために、以下、実施形態又は従来技術の説明で使用する図面について簡単に説明する。当然のことながら、以下で説明する図面は、本願の一部の実施形態に過ぎず、当業者は創造力を働かせることなく、これらの図面によって他の図面を得ることができる。
【図１】本願の実施形態が提供する太陽電池モジュールの構造概念図を示す。
【図２】本願の実施形態が提供する太陽電池モジュールの平面図を示す。
【図３】本願の実施形態が提供する太陽電池モジュールの正面図を示す。
【図４】本願のもう一つの実施形態が提供する太陽電池モジュールの平面図を示す。
【図５】本願のもう一つの実施形態が提供する太陽電池モジュールの正面図を示す。
【図６】本願の実施形態が提供する太陽電池がシリーズ方式で接続された概念図を示す。
【図７】本願の実施形態が提供する太陽電池がパラレル方式で接続された概念図を示す。
【図８】本願の実施形態が提供する太陽電池がシリーズ・パラレルハイブリッド方式で接続された概念図を示す。
【図９】本願の実施形態が提供する太陽電池モジュールの製造方法のフロー図を示す。
【図１０】本願の実施形態が提供する車輌構造概念図を示す。
【図１１】本願の実施形態が提供する太陽電池モジュールの平面図を示す。
【図１２】本願の実施形態が提供する太陽電池モジュールの正面図を示す。
【図１３】本願の実施形態が提供する太陽電池モジュールの左視図を示す。
【発明を実施するための形態】
【０００７】
以下、図面を参照して、本願の例示的な実施形態を詳細に説明する。本願の例示的な実施形態を図面に示しており、本願は様々な形態で実施することが可能であり、ここに記載の実施形態によって限定されないことを理解するべきである。むしろ、これらの実施形態は、当業者に本願をより十分に理解させ、本願の範囲を完全に伝えるために提供するものである。
図１に示すように、本願の実施形態では、太陽電池群１０２と、フィルム１０３と、所定の曲面形状を有する上封止層１０１と、少なくとも１つの下封止背面板１０４と、を含み、前記下封止背面板１０４の数は前記曲面形状の曲率半径により確定され、前記太陽電池群１０２は、前記上封止層１０１と前記少なくとも１つの下封止背面板１０４との間に前記フィル１０３によって前記曲面形状を基に敷設され、且つ、前記少なくとも１つの下封止背面板１０４の敷設面積は前記上封止層１０１の表面積以下である、太陽電池モジュールを提供する。
【０００８】
図１に示す実施形態によれば、該太陽電池モジュールは、太陽電池群と、フィルムと、曲面形状の上封止層と、１つ又は複数の下封止背面板と、を含む。下封止背面板の数は曲面形状の曲率半径により確定される。太陽電池群は、上封止層と各下封止背面板との間にフィルムによって曲面形状を基に敷設され、且つ、各下封止背面板の敷設面積は上封止層の表面積以下である。ここで、該表面積は、上封止層において太陽電池群に接する側の表面積であっても良い。つまり、各下封止背面板の敷設面積は上封止層の表面積と同一であり、又は、各下封止背面板の敷設面積は上封止層の表面積より少し小さい。上記実施形態から分かるように、下封止背面板の数は曲面形状の曲率半径によって確定されるため、上封止層の曲率半径が比較的に小さい時（例えば、最小曲率半径を６００mm〜１２００mmとする）にも、上封止層上に各下封止背面板を舗装することで、太陽電池モジュールを曲率半径が比較的に小さい（例えば、最小を６００mm〜１２００mmとする）曲面に舗装することが可能である。よって、本願の実施形態が提供する技術案は、太陽電池モジュールを曲率半径の小さい曲面上に敷設することが実現できる。
図１では、2つの下封止背面板を含む太陽電池モジュールの一部を示している。
【０００９】
本願の１つの実施形態において、上封止層の曲面形状は敷設待ち物体の曲面形状に一致する。例えば、敷設待ち物体が車輌のルーフである時、太陽電池モジュールの上封止層の曲面形状をルーフの曲面形状に一致させることで、太陽電池モジュールとルーフの接合度を向上させる。
本実施形態において、好ましくは、上封止層の最小曲率半径を６００mm以上とする。
本願の１つの実施形態において、前記下封止背面板１０４の数と前記曲面形状の曲率半径との関係は、前記曲面形状の最小曲率半径が増大するに従って前記下封止背面板１０４の数が減少することを満たす。
本実施形態において、曲面形状の最小の曲率半径が小さいほど、曲面の円弧度が大きい。曲面の円弧度が比較的に大きい時、下封止背面板の数を増加する必要があり、これにより、舗装する時に単一の下封止背面板上の曲率変化を減少させることによって、下封止背面板上にシワや波状の筋目が形成する可能性を低下させる。
本願の１つの実施形態において、曲面形状の最小の曲率半径を基に下封止背面板の数を確定する時、前記下封止背面板１０４の数と前記曲面形状の曲率半径の間の関係は少なくとも以下の２つの状況が含まれる。
【００１０】
状況一：本願の１つの実施形態において、前記下封止背面板１０４の数と前記曲面形状の曲率半径との関係は、連立方程式（１）
【００１１】
【数１】
2019186511.tif 000003
【００１２】
を満たし
前記Nは前記下封止背面板の数を表し、前記Rminは前記曲面形状の最小曲率半径を表し、単位をmmとする。
【００１３】
本実施形態において、曲率半径が比較的に小さい曲面は一般的に円弧度が比較的に大きい曲面である。円弧度が比較的に大きい曲面に面積が比較的に大きい下封止背面板を敷設する時、下封止背面板には一般的にシワや波状の筋目が形成される。これらのシワや波状の筋目は、通常太陽電池モジュールの中で気泡又は空気溜りを引き起こし易く、気泡又は空気溜りは太陽電池モジュールの信頼性と安全性を低下させる。
本実施形態において、下封止背面板にシワや波状の筋目が出現する可能性を低下させるため、上封止層に含まれる各曲面の曲率半径を取得する必要がある。その後、各曲面の曲率半径を比較して、各曲面における最小曲率半径を見つける。続いて、最小曲率半径の大きさに応じて、下封止背面板の数を確定する。連立方程式（１）から見られるように、連立方程式（１）は最小曲率半径が６００mm以上の状況に適用される。最小曲率半径が６００mm以上の時、連立方程式（１）により直接下封止板の数を確定できる。
【００１４】
本実施形態において、曲率半径６００mm以上の時、最小曲率半径が大きいほど、下封止背面板の数が少ない。
例えば、曲面形状における最小の曲率半径が７５０であることが確定された時、連立方程式（１）により確定される下封止背面板の数は５である。
状況二：本願の１つの実施形態において、前記下封止背面板１０４の数と前記曲面形状の曲率半径との関係は、連立方程式（２）
【００１５】
【数２】
2019186511.tif 000004
【００１６】
を満たし
前記Nは前記下封止背面板の数を表し、前記Rminは前記曲面形状における最小曲率半径を表し、単位をmmとする。
本実施形態において、最小曲率半径が８００mm〜２０００mmの範囲内にある時、需要に応じて、２〜４つの下封止背面板を選択できる。例えば、２つの下封止背面板、３つの下封止背面板又は４つの下封止背面板を選択できる。
具体的に、最小曲率半径が８００mm〜２０００mmの範囲内にある時、各下封止背面板間のスプライス点を減少させる必要がある場合、下封止背面板の数を２と確定しても良い。下封止背面板にシワや波状の筋目が出現する可能性を最大限に低下する必要がある場合、下封止背面板の数は４であっても良い。
【００１７】
上記実施形態によれば、最小曲率半径が６００mm以上の時、最小曲率半径を基に下封止背面板の数を確定できる。よって、最小曲率半径が６００mm以上の状況で、最小曲率半径に適した数の下封止背面板を舗装すると、シワや波状の筋目が形成する可能性を低下させることができ、太陽電池の信頼性と安全性が向上する。
本願の１つの実施形態において、前記下封止背面板１０４の数は、前記曲面形状の最小曲率半径と最大曲率半径により確定される。
本実施形態において、曲面形状における最大曲率半径と最小曲率半径との差異が大きいほど、曲面形状の円弧度又はうねり変化が大きい。よって、曲面形状における最小曲率半径と最大曲率半径に応じて下封止背面板の数を確定することで、舗装する際に、各下封止背面板に対応する曲率変化範囲を縮小することができる。
【００１８】
本願の１つの実施形態において、前記下封止背面板１０４の数と前記曲面形状の曲率半径との関係は、方程式（３）
【００１９】
【数３】
2019186511.tif 000005
【００２０】
を満たし、
前記Nは前記下封止背面板の数を表し、前記Rmaxは前記曲面形状における最大曲率半径を表し、前記Rminは前記曲面形状における最小曲率半径を表し、前記Kは既定数の定数を表し、前記
【００２１】
【数４】
2019186511.tif 000006
【００２２】
は切り上げ符号を表す。
本実施形態において、曲面形状における最大曲率半径と与最小曲率半径との差異が大きいほど、曲面形状の円弧度又はうねり変化が大きい。よって、最大曲率半径と最小曲率半径間の倍数関係を利用して下封止背面板の数を確定し、円弧度が比較的に大きい曲面に面積が比較的に小さい下封止背面板を敷設することで、下封止背面板を敷設する際に、シワや波状の筋目が出現する可能性を低下させる。
【００２３】
本実施形態において、既定数の定数Kは業務の需要に応じて確定できる。例えば、既定数の定数Kは０以上の任意の定数であっても良い。また、既定数の定数Kは下封止背面板の材質、弾性率及び変形係数に応じて確定しても良い。
上記実施形態によれば、下封止背面板の数は曲面形状における最小曲率半径と最大曲率半径により確定されるため、円弧度が比較的に大きい曲面に面積が比較的に小さい下封止背面板を敷設することにより、下封止背面板を敷設する際に、シワや波状の筋目が出現する可能性を低減させる。
【００２４】
本願の１つの実施形態において、前記下封止背面板１０４の数は少なくとも２つであり、各前記下封止背面板１０４はそれぞれ同一又は異なる面積を有する。
本願の１つの実施形態において、各下封止背面板１０４がそれぞれ同一の面積を有する際、下封止背面板の面積は、敷設可能な領域の敷設可能面積を確定することにより確定することができる。その後、敷設可能面積と下封止背面板の数との商を単一の下封止背面板の面積として確定する。そのうち、敷設可能面積は、上封止層において太陽電池群に接する側の表面積とすることができる。
【００２５】
本実施形態において、各下封止背面板が同一の面積を有するため、各下封止背面板は同一の長さ及び幅を有することができる。
上記実施形態によれば、各下封止背面板は同一の面積を有するため、下封止背面板を量産することができるので、下封止背面板の生産効率を向上できる。
【００２６】
本願の１つの実施形態において、前記各下封止背面板１０４は異なる面積を有し、前記上封止層１０１の曲面形状における曲率半径が大きい領域は比較的に大きい面積を有する前記下封止背面板１０４に応じ、前記上封止層１０１の曲面形状における曲率半径が小さい領域は比較的に小さい面積を有する前記下封止背面板１０４に応じる。
【００２７】
以下、９００mmの最小曲率半径を一例として説明する。本実施形態において、最小曲率半径９００mmは８００mm〜１０００mm間にあるため、方程式（１）に従って四枚の下封止背面板を設計することができる。即ち、図２と図３に示すように、下封止背面板２０１、下封止背面板２０２、下封止背面板２０３及び下封止背面板２０４である。図面において、T１は下封止背面板２０３と下封止背面板２０２との重複領域であり、T２は下封止背面板２０２と下封止背面板２０１との重複領域であり、T３は下封止背面板２０１と下封止背面板２０４との重複領域である。下封止背面板２０１は２A領域に舗装され、該２A領域に対応する曲率半径は「曲率半径が５０００より大きい」範囲である。下封止背面板２０４は２D領域に舗装され、該２D領域に対応する曲率半径は「曲率半径が５０００未満、３０００より大きい」範囲である。下封止背面板２０２は２B領域に舗装され、該２B領域に対応する曲率半径は「曲率半径が３０００未満、２０００より大きい」範囲である。下封止背面板２０３は２C領域に舗装され、該２C領域に対応する曲率半径は「曲率半径が２０００未満」の範囲である。各下封止背面板に対応する曲率半径によれば、下封止背面板２０１〜２０４間の面積関係は、下封止背面板２０１＞下封止背面板２０４＞下封止背面板２０２＞下封止背面板２０３であると確定できる。
【００２８】
以下、６２０mmの最小の曲率半径を一例として説明する。本実施形態において、最小曲率半径６２０mmは６００mm〜８００mm間にあるため、方程式（１）に従って五枚の下封止背面板を設計することができる。即ち、図４と図５に示すように、下封止背面板２０５、下封止背面板２０６、下封止背面板２０７、下封止背面板２０８及び下封止背面板２０９である。図面において、P１は下封止背面板２０５と下封止背面板２０６との重複領域であり、P２は下封止背面板２０６と下封止背面板２０７との重複領域であり、P３は下封止背面板２０７と下封止背面板２０８との重複領域であり、P４は下封止背面板２０８と下封止背面板２０９との重複領域である。下封止背面板２０７は３C領域に舗装され、該３C領域に対応する曲率半径は「曲率半径が６０００より大きい」範囲である。下封止背面板２０８は３D領域に舗装され、該３D領域に対応する曲率半径は「曲率半径が６０００未満、３０００より大きい」範囲である。下封止背面板２０９は３E領域に舗装され、該３E領域に対応する曲率半径は「曲率半径が２０００より大きく、３０００未満」の範囲である。下封止背面板２０６は３B領域に舗装され、該３B領域に対応する曲率半径は「曲率半径が２０００未満、８００より大きい」範囲である。下封止背面板２０５は３A領域に舗装され、該３A領域に対応する曲率半径は「曲率半径が８００未満」の範囲である。各下封止背面板に対応する曲率半径によれば、下封止背面板２０５〜２０９間の面積関係は、下封止背面板２０７＞下封止背面板２０８＞下封止背面板２０９＞下封止背面板２０６＞下封止背面板２０５であると確定できる。
【００２９】
上記実施形態によれば、各下封止背面板は異なる面積を有する。上封止層の曲面形状の曲率が大きい領域は比較的に大きい面積を有する下封止背面板に応じ、上封止層の曲面形状の曲率が小さい領域は比較的に小さい面積を有する下封止背面板に応じる。よって、シワや波状の筋目の出現する可能性を有効に低減することができ、太陽電池の信頼性が向上する。
【００３０】
本願の１つの実施形態において、前記下封止板１０４の数が少なくとも２つである時、任意の隣接する２つの下封止背面板１０４の間に５mm〜３０mmのスプライス重複領域を有する。
本実施形態において、スプライス重複領域の幅は、５mm〜３０mm間の任意の数値であっても良い。例えば、スプライス重複領域の幅は、８mm又は１０mmであっても良い。
本実施形態において、重複領域幅は狭すぎても広すぎてもいけない。重複領域幅が狭すぎる場合、太陽電池群が露出する可能性が比較的に高く、重複領域幅が広すぎる場合、下封止背面板の浪費量が比較的に多い。
上記実施形態によれば、好ましくは、任意の隣接する２つの下封止背面板の間に５mm〜３０mmのスプライス重複領域を有する。該重複領域は、太陽電池群が露出される可能性を低下させるだけでなく、下封止背面板の浪費量も低下させることが可能である。
【００３１】
本願の１つの実施形態において、図６〜図８に示すように、前記太陽電池群１０２は、バスゾーン１０２１、出力端１０２２及び複数の太陽電池１０２３を含むことができ、
前記複数の太陽電池１０２３はシリーズ方式、パラレル方式又はシリーズ・パラレルハイブリッド方式のうちのいずれか１つの方式で接続され電流出力群になり、
前記電流出力群は前記バスゾーン１０２１に接続され、自己生成した電流を前記バスゾーン１０２１に伝送するのに用いられ、
前記バスゾーン１０２１は、前記電流出力群から伝送された電流を前記出力端１０２２に伝送するのに用いられ、
前記出力端１０２２は外部の蓄電設備に接続され、前記バスゾーン１０２１から伝送された電流を前記蓄電設備に伝送するのに用いられる。
【００３２】
本実施形態において、太陽電池の種類は業務の需要に応じて確定できる。例えば、太陽電池には、CIGS薄膜太陽電池、ペロブスカイト薄膜太陽電池、有機半導体薄膜太陽電池、ガリウム砒素GaAs化合物半導体膜の太陽電池等が含まれるがこれらに限定されない。
本実施形態において、出力端の種類及び位置はいずれも業務の需要に応じて確定できる。例えば、出力端が太陽電池モジュールの側面縁上に設置される時、該出力端は一段の出力回路であっても良く、且つ該出力回路は蓄電設備（例えば、車輌における蓄電池）に接続することができる。もう一つの例として、出力端がいずれか１つの下封止背面板におけるフィルムに接触しない下面に設置される時、該出力端はジャンクションボックスであっても良く、且つ該ジャンクションボックスは蓄電設備（例えば、車輌における蓄電池）に接続することができる。
【００３３】
本実施形態において、複数の太陽電池が接続されて電流出力群になり、該電流出力群の敷設面積は各下封止背面板の敷設面積と同一であってもよい。又は、該電流出力群の敷設面積は各下封止背面板の敷設面積より少し小さい。下封止背面板の数は曲面形状の曲率半径によって確定されるため、下封止背面板の敷設可能面積が比較的に大きく、電流出力群の敷設面積が拡大されることによって、太陽電池モジュールの出力効率が増大する。
上記実施形態によれば、複数の太陽電池は、シリーズ方式、パラレル方式又はシリーズ・パラレルハイブリッド方式のうちのいずれか１つの方式で接続され電流出力群になり、業務応用力が比較的に柔軟である。
【００３４】
本願の１つの実施形態において、前記複数の太陽電池１０２３はシリーズ方式で接続され電流出力群になり、シリーズ接続された各前記太陽電池１０２３において、首位に位置する太陽電池１０２３の正極が前記バスゾーン１０２１に接続され、且つ最下位に位置する太陽電池１０２３の負極が前記バスゾーン１０２１に接続される。
明確にするため、図６では、２つのシリーズ接続された太陽電池のみ開示している。本実施形態において、図６に示すように、首位に位置する太陽電池１０２３の正極はバスゾーン１０２１に接続され、且つ最下位に位置する太陽電池１０２３の負極はバスゾーン１０２１に接続される。任意の隣接する２つの太陽電池において、１つの太陽電池の正極がもう一つの太陽電池の負極に接続される。
【００３５】
本願の１つの実施形態において、前記複数の太陽電池１０２３はパラレル方式で接続され前記電流出力群になり、パラレル接続された各前記太陽電池１０２３において、各前記太陽電池１０２３の正極がそれぞれ前記バスゾーン１０２１に接続され、且つ、各前記太陽電池の負極がそれぞれ前記バスゾーン１０２１に接続される。
明確にするため、図７では、２つのパラレル接続された太陽電池のみ開示している。本実施形態において、図７に示すように、各太陽電池の正極がそれぞれバスゾーンに接続され、且つ、各太陽電池の負極がそれぞれバスゾーンに接続される。
【００３６】
本願の１つの実施形態において、前記複数の太陽電池１０２３はシリーズ・パラレルハイブリッド方式で接続され前記電流出力群になり、前記複数の太陽電池１０２３は少なくとも２つのセルストリングを形成し、各前記セルストリングはシリーズ状態にある少なくとも２つの太陽電池１０２３を含み、各前記セルストリングにおいて首位に位置する太陽電池１０２３の正極は前記バスゾーン１０２２に接続され、且つ最下位に位置する太陽電池１０２３の負極は前記バスゾーン１０２２に接続され、前記少なくとも２つのセルストリングがパラレル方式で接続される。
明確にするため、図８では、２つのセルストリングのみ示し、且つ各セルストリングは、２つのシリーズ接続された太陽電池を含む。本実施形態において、図８に示すように、各セルストリングにおいて首位に位置する太陽電池の正極はバスゾーンに接続され、且つ最下位に位置する太陽電池の負極はバスゾーンに接続される。各セルストリングの任意の２つの隣接する太陽電池において、１つの太陽電池の正極がもう一つの太陽電池の負極に接続されて、２つのセルストリングがパラレル方式で接続される。
【００３７】
上記の実施形態によれば、複数の太陽電池がシリーズ・パラレルハイブリッド方式で接続され電流出力群になる。各太陽電池がシリーズ・パラレルハイブリッド接続されているため、太陽電池モジュールの応用の際に、太陽電池の一部が遮蔽されても、太陽電池の遮蔽されていない部分は安定的に出力できる。
本願の１つの実施形態において、任意の２つの隣接する太陽電池１０２３の間は所定の間隔距離を有し、前記間隔距離を０〜５mmとする。
本実施形態において、業務の需要に応じて間隔距離を確定することができる。例えば、空間が制限される時、より多くの太陽電池を配置するために、間隔距離を０に設定することができる。空間が充分な時、太陽電池モジュールの応用における変形を考慮し、間隔距離を２mmに設定することができる。
上記の実施形態によれば、任意の２つの隣接する太陽電池間は０〜５mmの間隔距離を有する。よって、異なる空間条件に応じて太陽電池を配置することができ、業務適用性がある。
【００３８】
本願の１つの実施形態において、太陽電池モジュールは、シーリングテープをさらに含むことが可能で、前記シーリングテープは、前記上封止層上に貼付けられ、且つ前記上封止層と舗装領域を形成する。
前記太陽電池群及び前記少なくとも１つの下封止背面板が前記舗装領域内に接合敷設される。
本実施形態において、シーリングテープの具体的な形態は業務の要求に応じて確定できる。例えば、シーリングテープには、変性PVCシーリングテープ、ネオプレンシーリングテープ、熱可塑性EPDMゴムシーリングテープ、加硫EPDMゴムシーリングテープ等を含むことができるがこれらに限定されない。
本実施形態において、シーリングテープを上封止層上に接合する際、上封止層の周囲の縁に接合することができる。
上記の実施形態によれば、太陽電池群及び各下封止背面板は、シーリングテープと上封止層で形成される舗装領域内に接合敷設されているため、太陽電池モジュールの使用過程において、太陽電池群が湿気等に侵食される可能性を低下させて、太陽電池モジュールの信頼性を向上できる。
【００３９】
本願の１つの実施形態において、前記上封止層には、通常のガラス上封止層、強化ガラス上封止層、プラスチックフォルダガラス上封止層、 ポリスチレン上封止層、ポリメチルメタクリレート上封止層、ポリカーボネート上封止層、ポリエチレンテレフタレート上封止層、エチレン-テトラフルオロエチレン共重合体上封止層等を含むことができるがこれらに限定されない。
本実施形態において、可視光透過率が９１%以上で、且つ水蒸気を隔離し、耐衝撃性等の効果を有する上封止層を選択することもできる。
本実施形態において、上封止層の厚さは０．５mm〜８mmであっても良い。
本願の１つの実施形態において、前記下封止背面板は、無機ガラス下封止背面板、ステンレス鋼下封止背面板、エチレン/ビニルアルコール共重合体下封止背面板、ポリエチレンテレフタレート下封止背面板、ポリエチレンテレフタレートとアルミニウムの複合材料下封止背面板等を含むことができるがこれらに限定されない。
本実施形態において、下封止背面板は柔軟性が優れ、上封止層と完璧に接合するよう、上封止層の曲率変化に応じて屈曲させることができる。
本実施形態において、下封止背面板の厚さは０．２mm〜５mmであっても良い。
【００４０】
本願の１つの実施形態において、前記フィルムには、ポリオレフィンフィルム、ポリビニルブチラールフィルム、エチレン-酢酸ビニル共重合体フィルム、シリコーンフィルム等を含むことができるがこれらに限定されない。
本実施形態において、上封止層と太陽電池群間のフィルム厚さ及び下封止背面板と太陽電池群との間のフィルム厚さはいずれも０．１mm〜１．５mmであっても良い。
本願の１つの実施形態において、太陽電池モジュールが車輌に応用される際、上封止層１０１の曲面形状が車輌における任意の被覆カバーの曲面形状に一致する。
本実施形態において、被覆カバーには、エンジンカバー、ルーフカバー、左右サイドパネル、前後ドア、フロント、リア、左右フェンダー、トランクカバー、エンジンフロントサポートプレート、エンジンフロントエプロン、フロントカウルトップカバー、リアパネル、リヤエンクロージャ、フロントエプロン、フロントフレーム、フロントフェンダー、ホイールフェンダー、リアフェンダー、フード、 フロントサイドパネル、フロントパネル、フロントパネル、フロントフェンダー、エンジンカバー等が含まれるがこれらに限定されない。
本実施形態において、太陽モジュールが太陽光の照射を十分受けるように、好ましくは、太陽モジュールで車ルーフを覆う。太陽モジュールで車ルーフを覆う必要がある場合、上封止層の曲面形状と車ルーフの曲面形状を一致させる。
【００４１】
図9に示すように、本願の実施形態では、太陽電池モジュールの製造方法を提供し、該製造方法は以下のステップを含むことができる。
ステップ３０１：太陽電池群、フィルム及び所定の曲面形状を有する上封止層を製造する、
ステップ３０２：前記曲面形状の曲率半径によって数が確定される、少なくとも１つの下封止背面板を製造する、
ステップ３０３：前記太陽電池群を、前記上封止層と前記少なくとも１つの下封止背面板との間に、前記フィルムによって前記曲面形状を基に敷設し、前記少なくとも１つの下封止背面板の敷設面積は前記上封止層の表面積以下である。
図９に示すフロー図によれば、まず、太陽電池群、フィルム及び曲面形状の上封止層を製造する。次に、１つ又は複数の下封止背面板を製造し、且つ、下封止背面板の数は曲面形状の曲率半径によって確定される。続いて、太陽電池群は、上封止層と各下封止背面板との間にフィルムによって曲面形状を基に敷設され、且つ、各下封止背面板の敷設面積は上封止層の表面積以下である。上記実施形態から分かるように、下封止背面板の数は曲面形状の曲率半径によって確定されるため、上封止層の曲率半径が比較的に小さい時（例えば、最小曲率半径を６００mm〜１２００mmとする）にも、上封止層上に各下封止背面板を舗装することで、太陽電池モジュールを曲率半径が比較的に小さい（例えば、最小曲率半径を６００mm〜１２００mmとする）曲面に舗装することが可能である。よって、本願の実施形態が提供する技術案は、太陽電池モジュールを曲率半径の小さい曲面上に敷設することが実現できる。
【００４２】
本願の１つの実施形態において、上記図９に示すフロー図では、少なくとも１つの下封止背面板が製造され、曲面形状の曲率半径によって数が確定される前記少なくとも１つの下封止背面板を製造する前記ステップ３０２は、以下のステップを含むことができる。
A１：前記曲面形状の最小曲率半径を確定するステップ、
A２：前記最小曲率半径によって前記下封止背面板の数を確定し、前記下封止背面板の数は、前記曲面形状の最小曲率半径が増大するに従って減少するステップ、
A３：確定された前記下封止背面板の数によって、各前記下封止背面板を製造するステップ。
本願の１つの実施形態において、以下の２つの方法によりステップA2を実現することができる。
方法一：本願の１つの実施形態において、前記最小曲率半径によって前記下封止背面板の数を確定するステップA２は、
前記曲面形状の曲率半径によって、連立方程式（１）を用いて前記下封止背面板の数を算出するステップを含み、
【００４３】
【数５】
2019186511.tif 000007
【００４４】
前記Nは前記下封止背面板の数を表し、前記Rminは前記曲面形状における最小曲率半径を表し、単位をmmとする。
方法二：本願の１つの実施形態において、前記最小曲率半径によって前記下封止背面板の数を確定するステップA２は、
前記曲面形状の曲率半径によって、連立方程式（２）を用いて前記下封止背面板の数を算出するステップを含み、
【００４５】
【数６】
2019186511.tif 000008
【００４６】
前記Nは前記下封止背面板の数を表し、前記Rminは前記曲面形状における最小曲率半径を表し、単位をmmとする。
本願の１つの実施形態において、上記図9に示すフロー図では、少なくとも１つの下封止背面板が製造され、前記曲面形状の曲率半径によって数が確定される少なくとも１つの下封止背面板を製造する前記ステップ３０２は、
前記曲面形状の最小曲率半径と最大曲率半径によって前記下封止背面板の数を確定するステップと、
確定された前記下封止背面板の数によって各前記下封止背面板を製造するステップと、を含むことができる。
【００４７】
本願の１つの実施形態において、前記曲面形状の最小曲率半径と最大曲率半径によって前記下封止背面板の数を確定する前記ステップは、
前記曲面形状の曲率半径によって、方程式（３）を用いて前記下封止背面板の数を算出するステップを含み、
【００４８】
【数７】
2019186511.tif 000009
【００４９】
前記Nは前記下封止背面板の数を表し、前記Rmaxは前記曲面形状における最大曲率半径を表し、前記Rminは前記曲面形状における最小曲率半径を表し、前記Kは既定数の定数を表し、前記
【００５０】
【数８】
2019186511.tif 000010
【００５１】
は切り上げ符号を表す。
本願の１つの実施形態において、前記太陽電池モジュールに少なくとも２つの下封止背面板が含まれるとき、製造される前記下封止背面板はそれぞれ同一又は異なる面積を有する。
本願の１つの実施形態において、前記下封止背面板が異なる面積を有するとき、上封止層の曲面形状の曲率が大きい領域は比較的に大きい面積を有する下封止背面板に応じ、上封止層の曲面形状の曲率が小さい領域は比較的に小さい面積有する下封止背面板に応じる。
【００５２】
本願の１つの実施形態において、前記方法は、上記図9に示すフロー図における前記太陽電池群を、前記上封止層と前記少なくとも１つの下封止背面板との間に、前記フィルムによって前記曲面形状を基に敷設する前記ステップ３０３の後に、
B１：前記太陽電池群、前記上封止層及び前記少なくとも１つの下封止背面板に対して真空引き処理を行い、制作待ちモジュール群を形成するステップと、
B２：前記制作待ちモジュール群に対してラミネート処理を行い、太陽電池モジュールを形成するステップと、をさらに含むことができる。
【００５３】
本願の１つの実施形態において、前記太陽電池群、前記上封止層及び前記少なくとも１つの下封止背面板に対して真空引き処理を行うステップB１は、
前記太陽電池群、前記上封止層及び前記少なくとも１つの下封止背面板を真空バッグに配置するステップと、
真空引き装置を用いて前記真空バッグに対し、０．５時間〜１時間の真空引き操作を行うことで、真空引き操作後の真空バッグ内の真空度を-８０KPa〜-１００KPaとし、前記真空度は相対真空度であるステップと、を含むことができる。
本実施形態において、制作待ちモジュール全体を真空ラミネーターの真空バッグに入れ、室温で０．５〜１時間の真空引き操作を行うことで、真空引き操作後の真空バッグ内の真空度を-８０KPa〜-１００KPaとすることができる。真空引き操作の際、上封止層と下封止背面板間の空気を抽出することができる。
上記の実施形態によれば、真空引き装置を用いて真空バッグに対して真空引き操作行い、上封止層と下封止背面板間の空気を抽出するため、太陽電池モジュールに気泡又は空気溜りが出現する可能性は低い。
【００５４】
本願の１つの実施形態において、前記制作待ちモジュール群に対してラミネート処理を行い、太陽電池モジュールを形成するステップB２は、
ラミネーターを用いて、温度を１３０℃〜１６０℃とし、真空度を-８０KPa〜-１００KPaとする操作条件で真空引き処理後の制作待ちモジュール群に対して１時間〜３時間のラミネートを行い、前記真空度は相対真空度であるステップを含むことができる。
本実施形態において、ラミネーターは温度を１３０℃〜１６０℃とし、真空度を-８０KPa〜-１００KPaとする操作条件で、真空引き処理後の制作待ちモジュールに対して１時間〜３時間のラミネートを行うことで、フィルムを充分溶融して架橋させ、上封止層、太陽電池群、フィルム及び各下封止背面板間の隙間内を填充することができる。
本願の１つの実施形態において、上記図9に示すフロー図における前記太陽電池群を、前記上封止層と前記少なくとも１つの下封止背面板との間に、前記フィルムによって前記曲面形状を基に敷設するステップ３０３は、
前記太陽電池群を、前記上封止層の下面上に前記フィルムによって前記曲面形状を基に敷設するステップと、前記少なくとも２つの下封止背面板を、前記曲面形状を基に順次スプライスするとともに、前記フィルムによって前記太陽電池群の下面上に敷設して、制作待ちモジュール群を形成するステップと、を含むことができる。
【００５５】
本実施形態において、各下封止背面板は曲面形状に沿って順次スプライスされるとともに、前記フィルムによって太陽電池群の下面上に敷設される時、任意の隣接する２つの下封止背面板の間に５mm〜３０mmのスプライス重複領域を有する。
本実施形態において、前記方法は、前記太陽電池群を、前記上封止層の下面上に前記フィルムによって前記曲面形状を基に敷設し、前記少なくとも２つの下封止背面板を、前記曲面形状を基に順次スプライスするとともに、前記フィルムによって前記太陽電池群の下面上に敷設する前に、シーリングテープを上封止層上に貼付けられ、且つ上封止層と舗装領域を形成してから、太陽電池群及び各下封止背面板を舗装領域内に敷設するステップをさらに含むことができる。
本実施形態において、シーリングテープは、変性PVCシーリングテープ、ネオプレンシーリングテープ、熱可塑性EPDMゴムシーリングテープ、加硫EPDMゴムシーリングテープのうちのいずれか１つを含むことができるがこれらに限定されない。
【００５６】
本願の１つの実施形態において、上記図9に示すフロー図における、所定の曲面形状を有する上封止層、太陽電池群及びフィルムを製造するステップ３０１は、
バスゾーン、出力端及び複数の太陽電池を制作するステップと、
複数の太陽電池をシリーズ方式、パラレル方式又はシリーズ・パラレルハイブリッド方式のうちのいずれか１つの方式で接続され電流出力群になるステップと、
電流出力群を前記バスゾーンに接続するステップと、
前記電流出力群を外部の蓄電設備に接続するステップと、を含むことができる。
本実施形態において、任意の２つの隣接する太陽電池の間は所定の間隔距離を有し、前記間隔距離を０〜５mmとする。
本実施形態において、太陽電池には、CIGS薄膜太陽電池、ペロブスカイト薄膜太陽電池、有機半導体薄膜太陽電池、ガリウム砒素GaAs化合物半導体膜の太陽電池等を含むことができるがこれらに限定されない。
【００５７】
図１０に示すように、本願の実施形態では、上記いずれか１つの実施形態に記載の太陽電池モジュール５０１を含み、被覆カバーの外面上に前記太陽電池モジュール５０１が覆われる車輌を提供する。
本実施形態において、図１０に示すように、車輌４０のルーフパネル４０１上には太陽電池モジュール５０１が覆われている（図面における陰影部分が示しているのは、太陽電池モジュール５０１である）。
本実施形態において、図１０に示す太陽電池モジュールの曲面形状と車両ルーフの曲面形状が一致する。曲面に含まれる各曲率半径により、確定される曲面形状における最小曲率半径は１０００mmである。例えば、図１２と図１３に示す曲率半径R１０００、R１０９４、R３８３４、R２０６１、R２９３５、R３８１２及び各曲率半径は曲面形状における対応する領域にある。よって、連立方程式（１）によって、該太陽電池モジュールは３つの下封止背面板を有することになり、且つ３つの下封止背面板の総敷設面積は上封止層の内面面積と同一である。
【００５８】
以下、図１１〜図１３を参照しつつルーフを覆う太陽電池モジュールを説明する。太陽電池モジュールは、上封止層５０１１、３つの下封止背面板５０１２、フィルム５０１３及び太陽電池群５０１４を含む。図１２において、短い太線が表すAとBはいずれも隣接する封止背面板間のスプライス部分である。
具体的に、図１１は、該太陽電池モジュールの平面図を示す。図１１から見られるように、舗装される太陽電池群の中心が上封止層の中心と重なり、且つ、太陽電池群の縁Cはいずれも上封止面板の縁Dとの間で距離aを有する。該距離aは業務の需要に応じて確定できる。例えば、距離aを４０mmとする（４０ mmは一例にすぎない）。図１１から見られるように、該太陽電池モジュールに対応する投影面の幅（つまり、図１１におけるM１〜M２間の水平距離）はルーフの曲面形状によって確定できる。例えば、M１〜M２間の水平距離を１０１７ mmとし、該太陽電池モジュールに対応する投影面の長さ（つまり、図１１におけるM２〜M３間の水平距離）はルーフの曲面形状によって確定できる。例えば、M２〜M３間の水平距離を１３９５ mmとする（１０１７ mm及び１３９５ mmはいずれも一例にすぎない）。
具体的に、図１２は、該太陽電池モジュールの正面図を示す。図１２から見られるように、太陽電池モジュールの曲面最高点と最低点間の高さ（つまり、図１２における、H１〜H２間の垂直距離）はルーフの曲面形状によって確定できる。例えば、H１〜H２間の垂直距離を１１１mmとすることができる（１１１mmは一例にすぎない）。上封止層の曲面の最高点と最低点間の高さ（つまり、図１２における、H１〜H３間の垂直距離）はルーフの曲面形状によって確定できる。例えば、H１〜H３間の垂直距離を７９ mmとすることができる（７９mmは一例にすぎない）。
【００５９】
具体的に、図１３は該太陽電池モジュールの左視図を示す。
本願の各実施形態は少なくとも以下の様な有益効果を有する。
本願の実施形態において、該太陽電池モジュールは、太陽電池群と、フィルムと、所定の曲面形状を有する上封止層と、少なくとも１つ又は複数の下封止背面板と、を含む。下封止背面板の数は曲面形状の曲率半径により確定される。太陽電池群は、前記上封止層と各下封止背面板との間にフィルムによって曲面形状を基に敷設され、且つ、各下封止背面板の敷設面積は上封止層の表面積以下である。該表面積は、上封止層において太陽電池群に接する側の表面積であっても良い。例えば、各下封止背面板の敷設面積は上封止層の表面積と同一であり、又は、各下封止背面板の敷設面積は上封止層の表面積より少し小さい。上記実施形態から分かるように、下封止背面板の数は曲面形状の曲率半径によって確定されるため、上封止層の曲率半径が比較的に小さい時（例えば、最小曲率半径を６００mm〜１２００mmとする）にも、上封止層上に各下封止背面板を舗装することで、太陽電池モジュールを曲率半径が比較的に小さい（例えば、最小を６００mm〜１２００mmとする）曲面に舗装することが可能である。よって、本願の実施形態が提供する技術案は、太陽電池モジュールを曲率半径の小さい曲面上に敷設することが実現できる。
【００６０】
本願の実施形態において、曲面形状の最小曲率半径が増大するに従って下封止背面板の数を減少させることができ、これにより単一の下封止背面板上の曲率変化を減少させることで、下封止背面板上にシワや波状の筋目の出現する可能性を低下できる。
本願の実施形態において、下封止背面板の数は曲面形状の最小曲率半径により確定されるため、各下封止背面板を舗装する際にシワや波状の筋目が形成する可能性を低下させることができ、太陽電池の信頼性と安全性が向上する。
本願の実施形態において、最小曲率半径が６００以上の時、最小曲率半径を基に下封止背面板の数を確定できる。よって、最小曲率半径が６００以上の時、最小曲率半径に適した数の下封止背面板を舗装すると、シワや波状の筋目が形成する可能性を低下させることができ、太陽電池の信頼性と安全性が向上する。
本願の実施形態において、下封止背面板の数は、曲面形状における最小曲率半径と最大曲率半径により確定される。よって、円弧度が比較的に大きい曲面に敷設面積が比較的に小さい下封止背面板を敷設することにより、下封止背面板を敷設する際に、シワや波状の筋目が出現する可能性を低減させることができる。
【００６１】
本願の実施形態において、各下封止背面板はいずれも同一の面積を有するため、下封止背面板を量産することができ、下封止背面板の生産効率を向上させることが可能である。
本願の実施形態において、各下封止背面板は異なる面積を有する。上封止層の曲面形状の曲率が大きい領域は比較的に大きい面積を有する下封止背面板に応じ、上封止層の曲面形状の曲率が小さい領域は比較的に小さい面積を有する下封止背面板に応じる。よって、シワや波状の筋目が形成される可能性を有効に低下させ、太陽電池の信頼性を向上させている。
本願の実施形態において、任意の隣接する２つの下封止背面板の間には５mm〜３０mmのスプライス重複領域を有する。該重複領域は太陽電池群が露出する可能性を低下させるだけでなく、下封止背面板の浪費量も低下させることができる。
【００６２】
本願の実施形態において、複数の太陽電池はシリーズ方式、パラレル方式又はシリーズ・パラレルハイブリッド方式のうちのいずれか１つの方式で接続され電流出力群になり、業務応用力が比較的に柔軟である。
本願の実施形態において、複数の太陽電池はシリーズ・パラレルハイブリッド方式で接続され電流出力群になる。各太陽電池がシリーズ・パラレルハイブリッド接続されているため、太陽電池モジュールの応用の際に、太陽電池の一部が遮蔽されても、遮蔽されていない部分の太陽電池は安定的に出力できる。
本願の実施形態において、任意の２つの隣接する太陽電池間は０〜５mmの間隔距離を有する。よって、異なる空間条件に応じて太陽電池を配置することができ、業務適用性がある。
【００６３】
本願の実施形態において、太陽電池群及び各下封止背面板はシーリングテープと上封止層により形成される舗装領域内に接合敷設されるため、太陽電池モジュールの使用過程において、太陽電池群が湿気等に侵食される可能性を低下させることができ、太陽電池モジュールの信頼性が向上する。
本願の実施形態において、真空引き装置を用いて真空バッグに対して真空引き操作を行い、上封止層と下封止背面板間の空気を抽出したため、太陽電池モジュールに気泡又は空気溜りが出現する可能性が比較的に低い。
上記実施形態において、各実施形態に対する説明にはそれぞれ着目点があり、ある実施形態に詳細な説明がない部分に関しては、他の実施形態の関連説明を参照することができる。
【００６４】
本明細書において、第１や第２等の関係を表す用語は、１つの実体或いは操作をもう一つの実体或いは操作と区別するためのものに過ぎず、これらの実体或いは操作の間に如何なる事実的な関係又は順序が存在することを要求又は暗示するものではない。そして、「含む」等の用語、又はそれらに対する変形は非排他的な意味を有するため、一連の要素を含むプロセス、方法、アイテム又はデバイスはそれらの要素だけでなく、明確に記載されていない他の要素、又はそのようなプロセス、方法、アイテム、又はデバイス固有の要素も含む。より限定的な状況が存在しない場合には、「〜を含む」という語句によって定義される要素は、前記要素のプロセス、方法、アイテム又はデバイスに他の同一の要素がさらに含まれることを排除しない。
上記は本願の好ましい実施形態に過ぎず、本願の技術案を説明するためにのみ使用され、本願の保護範囲を限定するものではないことを理解されたい。本願の趣旨及び原則を逸脱しない範囲内でなされる如何なる変更、均等置換え、改良等も、本願の範囲内に含まれる。
【図１】
2019186511.tif 000019
【図２】
2019186511.tif 000020
【図３】
2019186511.tif 000021
【図４】
2019186511.tif 000022
【図５】
2019186511.tif 000023
【図６】
2019186511.tif 000024
【図７】
2019186511.tif 000025
【図８】
2019186511.tif 000026
【図９】
2019186511.tif 000027
【図１０】
2019186511.tif 000028
【図１１】
2019186511.tif 000029
【図１２】
2019186511.tif 000030
【図１３】
2019186511.tif 000031